(57)【要約】【課題】器具本体の変形を防止または低減することができ、器具本体にアクセサリーを簡単かつ確実に取り付けることができる照明器具を提供する。【解決手段】天板部６およびこの天板部を囲む複数の側板部６ａ〜６ｄを有する器具本体３と；一側板部側の器具本体３内面側であって、一側板部の長手方向と平行となるように長手方向が設けられる点灯装置９と；点灯装置が配設されている側の側板部にそれぞれ直交する一対の側板部側の近傍の天板部に穿設され、器具本体を所要の取付壁に取り付けるための取付具の自由先端部を挿通せしめ、器具本体と取付具と締付固定するための一対の取付穴１５ａ，１５ｂと；一対の取付穴間であって、天板部に穿設された手挿入穴と；器具本体に配設されるアクセサリー５と；を具備している。【選択図】  図２
2006120427.tif 000002
【特許請求の範囲】
【請求項１】
天板部およびこの天板部を囲む複数の側板部を有する器具本体と；
上記一側板部側の器具本体内面側であって、上記一側板部の長手方向と平行となるように長手方向が設けられる点灯装置と；
点灯装置が配設されている側の側板部にそれぞれ直交する一対の側板部側の近傍の天板部に穿設され、器具本体を所要の取付壁に取り付けるための取付具の自由先端部を挿通せしめ、器具本体と取付具と締付固定するための一対の取付穴と；
一対の取付穴間であって、天板部に穿設された手挿入穴と；
器具本体に配設されるアクセサリーと；
を具備していることを特徴とする照明器具。
【請求項２】
器具本体は、側板部に囲まれた内面側であって、点灯装置の近傍に配置されたランプソケットと、ランプソケットの近傍の天板部に複数個の放熱孔とが設けられていることを特徴とする請求項１記載の照明器具。
【請求項３】
一対の取付穴近傍の一対の側板部にそれぞれ配設され、アクセサリーを器具本体に取り付ける一対のアクセサリー取付具と、
一対のアクセサリー取付具の一方が配設された一方の側板部側にて器具本体に配設された電源端子台および調光端子台と、
電源端子台および調光端子台が点灯装置にそれぞれ接続される両配線と、
を有し、
両配線の一方を、近傍の側板部に沿うように配線し、この配線の内側にて他方の配線と離間させて配設したことを特徴とする請求項１または２記載照明器具。
【発明の詳細な説明】
【技術分野】
【０００１】
従来、天井から吊り下げられた吊りボルトにより取付、固定される天井埋込用の照明器具においては、吊りボルトが取り付けられる吊りボルト取付穴が照明器具の器具本体の天井板に形成されている（例えば、特許文献１参照）。
【０００２】
さらに、吊りボルトを吊りボルト取付穴に取り付ける作業を容易にするため、器具本体の天板部の吊りボルト取付穴の近傍に手挿入穴を形成したものもある（例えば、特許文献２参照）。
【特許文献１】特開２００２−２６０４２０号公報
【特許文献２】特開平１０−１８８６５０号公報
【発明の開示】
【発明が解決しようとする課題】
【０００３】
しかしながら、この特許文献１記載の照明器具では、器具本体の側方に配設された点灯装置の自重と、器具本体中央部の吊りボルト取付穴における吊りボルトと締結ナットの締付力により、器具本体の側板部が内側に反るように変形することがある。このために、器具本体へのアクセサリーの取付が困難になる場合があった。
【０００４】
そして、特許文献２記載の照明器具においても、器具本体の中央付近の吊りボルト取付穴の近傍に手挿入穴を配設しているので、この吊りボルト取付穴で吊りボルトを締付固定した際に、吊りボルト取付穴周辺の天板部の強度は弱くなり、変形を生じ易いという課題がある。
【０００５】
本発明は、器具本体の変形を防止または低減することができ、器具本体にアクセサリーを簡単かつ確実に取り付けることができる照明器具を提供することを目的とする。
【課題を解決するための手段】
【０００６】
請求項１に係る発明は、天板部およびこの天板部を囲む複数の側板部を有する器具本体と；上記一側板部側の器具本体内面側であって、上記一側板部の長手方向と平行となるように長手方向が設けられる点灯装置と；点灯装置が配設されている側の側板部にそれぞれ直交する一対の側板部側の近傍の天板部に穿設され、器具本体を所要の取付壁に取り付けるための取付具の自由先端部を挿通せしめ、器具本体と取付具と締付固定するための一対の取付穴と；一対の取付穴間であって、天板部に穿設された手挿入穴と；器具本体に配設されるアクセサリーと；を具備していることを特徴とする照明器具である。
【０００７】
なお、請求項１以下において、次の用語は以下の通りである。
【０００８】
取付具は、例えば取付壁である天井内部に設けられている吊りボルトや、器具本体を天井に螺着して固定する螺子等であって、器具本体を所要の取付壁に配設するためのものであれば特に限定しない。
【０００９】
また、「取付具の自由先端」とは、取付具の先端が取付孔に挿通される構成であることを意味し、さらに取付具と器具本体との締付固定し、例えば吊りボルトであれば、その自由先端側からナットを螺合する構成であり、螺子であれば、例えば取付孔を介して天井へ螺子を螺着する構成等である。
【００１０】
アクセサリーは、環形蛍光ランプからの光を制光する制光部材、またはランプからの直接光を拡散する拡散板等であって、環形蛍光ランプと対向するように設けられたものである。
【００１１】
請求項２に係る発明は、器具本体は、側板部に囲まれた内面側であって、点灯装置の近傍に配置されたランプソケットと、ランプソケットの近傍の天板部に複数個の放熱孔とが設けられていることを特徴とする請求項１記載の照明器具である。
【００１２】
請求項３に係る発明は、一対の取付穴近傍の一対の側板部にそれぞれ配設され、アクセサリーを器具本体に取り付ける一対のアクセサリー取付具と、一対のアクセサリー取付具の一方が配設された一方の側板部側にて器具本体に配設された電源端子台および調光端子台と、電源端子台および調光端子台が点灯装置にそれぞれ接続される両配線と、を有し、両配線の一方を、近傍の側板部に沿うように配線し、この配線の内側にて他方の配線と離間させて配設したことを特徴とする請求項１または２記載照明器具である。
【発明の効果】
【００１３】
請求項１の発明によれば、一対の取付穴を剛性の高い一対の側板部近傍の天板部に設けたので、器具本体の側端部方向の変形を抑制することができる。そして、一対の取付穴および手挿入穴が天板部にて並設されているので、天板部の強度が弱くなることにより器具本体の側端部方向の変形が生じてしまう虞があるが、点灯装置を、その長手方向が一対の取付孔および手挿入穴の並設方向に対して平行となるように一側板部側に設けることにより、この器具本体の変形を抑制することができる。このために、器具本体のアクセサリーの取付が容易になる。
【００１４】
請求項２記載の発明によれば、一般に蛍光ランプの電極付近は高温になり易いので、この電極近傍での放熱を促進するために、電極に近いランプソケット近傍に複数の放熱孔を形成している。これにより、ランプソケット近傍の天板部の剛性が弱くなり、変形が生じてしまう虞があるが、ランプソケット近傍に長尺状の点灯装置が設けられることにより、この変形を抑制することができる。
【００１５】
請求項３記載の発明によれば、電源端子台用と調光端子台用の両配線の一方を、電源端子台と調光端子台近傍の一方の側板部に沿うように配線する一方、この一方の配線の内側にて他方の配線を離間させて配線するので、これら両配線が交差することを防止することができる。このために、両配線の交差に起因する雑音を低減することができる。
【発明を実施するための最良の形態】
【００１６】
以下、本発明の一実施形態を図１〜図４に基づいて説明する。なお、これらの図中、同一または相当部分には同一符号を付している。
【００１７】
図１は本発明の一実施形態に係る照明器具の縦断面図、図２はその器具本体の内面平面図、図３はランプソケットの斜視図、図４は環形蛍光ランプの一部切欠正面図である。これらの図において、照明器具１は、例えば天井壁２に形成された器具装着用開口内に配設される埋込形である。
【００１８】
照明器具１は、薄鉄板等の板金により有蓋角筒状に形成された器具本体３内に、内面を反射面に形成した有蓋偏平角筒状の板金製または合成樹脂製の反射板４と、この反射板４の図１中下面開口の投光開口端４ａ側に配設されるアクセサリーの一種であるルーバ５と、を配設している。
【００１９】
図２に示すように器具本体３は、例えば四角形の天板部６と、この天板部６の四辺からほぼ垂直に起立する４辺の側板部６ａ，６ｂ，６ｃ，６ｄと、をプレス加工等により一体に形成し、または溶接等により固着して一体的に形成している。これら側板部６ａ〜６ｄは、その各先端部に、その外方へほぼ９０°で屈曲する外向きフランジ７ａ，７ｂ，７ｃ，７ｄを折曲形成し、その内方を開口端７に形成している。
【００２０】
そして、照明器具１は、その天板部６の内面一側部に、ランプソケット８を配設し、このランプソケット８の近傍（図２では手前）の側板部６ｃ側の天板部６の内面偶部上に、点灯装置９を、その背面が側板部６ｃの内面に添う状態で配設している。
【００２１】
そして、図１，２に示すように反射板４は、有蓋角筒状に形成され、器具本体３の天板部６に対向する矩形の天板部４ｂと、この天板部４ｂの四辺から各々起立する４辺の側板部４ｃと、を一体に連成している。各側板部４ｃは天板部４ｂから照射開口端４ａへ向けて漸次拡開するように所要角度傾斜して形成され、これら各側板部４ｃと天板部６の内面を反射面４ｄに形成している。
【００２２】
図３に示すようにランプソケット８は、例えばＰＢＴ（ポリブチレンテレフタレート）やＰＥＴ（ポリエチレンテレフタレート）、ＰＣ（ポリカーボネート）等の合成樹脂製の矩形のベース８ａの中央部上に、同合成樹脂製の台座８ｂを一体に連成している。
【００２３】
台座８ｂは、その上面上にて矩形に配列された４本のピンソケット孔８ｃ，８ｃ，８ｃ，８ｃを穿設している。これらピンソケット孔８ｃ……は、その外周に導電性スリーブを埋設しており、これら導電性スリーブ内に、図４で示す環形蛍光ランプ１０の口金１１の４本の口金ピン１１ａ，１１ａ，１１ａ，１１ａが挿入されて、電気的かつ機械的に着脱自在に接続される。
【００２４】
ベース８ａは、その上面上に、台座８ｂの両側にて、板ばねよりなる一対のＶ板ばね８ｄ，８ｄを立設している。これらＶ板ばね８ｄ，８ｄは、その先端部に、Ｖ字状に屈曲するＶ字状係止部８ｄａ，８ｄａを折曲形成している。
【００２５】
このように構成された器具ソケット８は、図２に示すように、各ピンソケット孔８ｃの導電性スリーブをリード線１２により点灯装置９の２次側端子９ａに接続している。
【００２６】
点灯装置９は、商用電源から電力を得て、これを所定周波数の高周波電力に変換してからランプソケット８を経て環形蛍光ランプ１０に口金１１を介して給電するものであり、調光機能を備えている。
【００２７】
そして、この点灯装置９の近傍の側板部６ｃに直交する図２中左右一対の側板部６ｄ，６ｂの内面には、その長手方向中間部において、左右一対のアクセサリー取付金具１３ａ，１３ｂを同一線上で対向させた状態で固着している。
【００２８】
これらアクセサリー取付金具１３ａ，１３ｂは、側板部６ｄ，６ｂの高さ方向、すなわち図１の紙面の表裏方向中間部または中間部よりもやや高い方向にて配設されている。
【００２９】
各アクセサリー取付金具１３ａ，１３ｂは、天板部６の中央部に向けて開口する開口端１３ａ１，１３ｂ１と、これら開口端１３ａ１，１３ｂ１を形成した欠円形状（Ｃ字状）の係止部１３ａ２，１３ｂ２と、を具備しており、図１で示すワイヤーＶばね１４ａ，１４ｂを係脱自在に係止させるようになっている。
【００３０】
ワイヤーＶばね１４ａ，１４ｂは、針金状のワイヤーばねをＶ字状に折曲してなり、このワイヤーＶばね１４ａ，１４ｂを、そのＶ字状開口端部を弾性的に縮小させた状態でアクセサリー取付金具１３ａ，１３ｂの係止部１３ａ２，１３ｂ２内へ、その開口端１３ａ１，１３ｂ１から挿入し、その後、このＶ字状開口端部を弾性的に復元させて拡大させ、このＶ字状開口端部の復元弾圧力により係止部１３ａ２，１３ｂ２に係止させることにより、係脱自在に係止させる。このワイヤーＶぱね１４ａ，１４ｂのＶ字状先端部の取付リング内に、ルーバ５の取付用ダボ等の取付具を嵌脱自在に嵌入させることにより、ルーバ５を反射板４の下方の所定位置に装着することができる。
【００３１】
図２に示すように天板部６の内面上には、これら一対のアクセサリー取付金具１３ａ，１３ｂどうしを結ぶ直線上であって、左右一対の側板部６ｄ，６ｂ近傍にて、だるま形状の一対の取付穴１５ａ，１５ｂを穿設している。
【００３２】
これら取付穴１５ａ，１５ｂは、左右一対の吊りボルト１６ａ，１６ｂの自由先端部を挿通させるものであり、吊りボルト１６ａ，１６ｂの直径よりも若干大きい長穴１５ａ１，１５ｂ１の一端に、吊りボルト１６ａ，１６ｂの直径よりも十分に大きい、ほぼ円形の大穴１５ａ２，１５ｂ２を連通させて一体に形成している。
【００３３】
すなわち、左右一対の吊りボルト１６ａ，１６ｂの自由先端部を、一旦大穴１５ａ２，１５ｂ２内に挿通させ、その後、器具本体３を横方向に移動して長穴１５ａ１，１５ｂ１へ移動させてから、この挿通端部に図示しない締付けナットを締付けることにより、器具本体５を左右一対の吊りボルト１６ａ，１６ｂに取付け、固定するようになっている。図１に示すように、これら吊りボルト１６ａ，１６ｂの図中上端部は天井壁２に垂直に埋設されている。
【００３４】
そして、図２に示すように天板部６の内面上には、点灯装置９の１次側端子９ｂの近傍の図２中左側の側板部６ｄ側において、電源端子台１７と調光端子台１８とを縦列状に配設している。
【００３５】
電源端子台１７と調光端子台１８は、一方（図２では左側）のアクセサリー取付金具１３ａの前後にて離間配置されている。調光端子台１８の端子に接続された調光用リード線１８ａは、天板部６内面と左側板部６ｄの内面とが交差する偶角部に沿って配線され、電源端子台１７の外側を通って点灯装置９の１次側端子９ｂの調光側端子９ｂ１に接続される。
【００３６】
電源端子台１７に接続された電源用リード線１７ａは調光端子台１８の調光用リード線１８ａの内側を通って点灯装置９の１次側端子９ｂの電源側端子９ｂ２に接続される。この電源側端子９ｂ２は調光端子９ｂ１よりも側板部６ｃの高さ方向（図２では紙面の表裏方向）で下方に位置している。なお、図２中、１８ｂは電源用リード線１８ａを器具本体３の左側板部６ｄに沿って配線させるための柱状の配線押えである。
【００３７】
そして、図１に示すように器具本体３の天板部６の内面には、図２で示す反射板４の天板部４ａの各偶角部が位置する例えば４箇所において、内方へ突出する例えば円形のダボ１９，１９，１９，１９を突設している。
【００３８】
各ダボ１９，１９，１９，１９は天板部６の内面上に、所定高さ突出して、その中心部には、図１で示す反射板取付ねじ２０，２０……にねじ結合するねじ穴１９ａ，１９ａ……をそれぞれ形成している。なお、図２中符号２１は作業用の手挿入穴である。この手挿入穴２１は器具本体５を天井壁２に取付けたり、所要の配線を行なう等の作業を行なう際に使用する比較的大きな穴である。また、符号２２は複数の放熱孔である。
【００３９】
図４は環形蛍光ランプ１０の一部切欠正面図である。この図４に示すように、環形蛍光ランプ１０は例えば多重環バルブ２３に口金１１を装着して構成されている。
【００４０】
多重環バルブ２３はガラス製の外側環形バルブ２３Ａの内側にて、これと相似形のガラス製の内側環形バルブ２３Ｂを同一平面上にて同心状に配置し、これら外側環形バルブ２３Ａと内側環形バルブ２３Ｂとを連結部２３Ｃにより一体的に連結することにより、単一の放電路を形成している。
【００４１】
これら外、内側環形バルブ２３Ａ，２３Ｂは、例えば１本の各直管状ガラスバルブの曲げ加工により、一平面上にて例えばほぼ正方形にそれぞれ形成されて相似形に形成されており、複数の直管部ｓ，…と、複数の屈曲部ｃ，…とを有する。これら外、内側環形バルブ２３Ａ，２３Ｂは、各々の軸方向両端部２３Ａ２，２３Ａ３，２３Ｂ２，２３Ｂ３を、所要の間隔を置いてほぼ同心状に対向配置している。これら外、内側環形バルブ２３Ａ，２３Ｂの両端部２３Ａ２，２３Ａ３，２３Ｂ２，２３Ｂ３との外面には、中空状の口金１０が、これら両端部２３Ａ２，２３Ａ３と、２３Ｂ２，２３Ｂ３とを跨るように外嵌されている。
【００４２】
外、内環形バルブ２３Ａ，２３Ｂは、ソーダイラムガラスや鉛ガラスなどの軟質ガラスで形成されるが、ほうケイ酸ガラスや石英ガラスなどの硬質ガラス製であってもよい。
【００４３】
外、内環形バルブ２３Ａ，２３Ｂのほぼ全内面には、蛍光体層２４が形成されている。蛍光体層２４を構成する蛍光体は、三波長発光形蛍光体、ハロ燐酸塩蛍光体など周知の蛍光体で構成可能であるが、発光効率の観点から三波長発光形蛍光体の使用が好ましい。
【００４４】
多重環バルブ２３は、外側環形バルブ２３Ａと内側環形バルブ２３Ｂの各一端部（図２では左端部）２３Ａ２，２３Ｂ２内に一対の電極（図示せず）をそれぞれ封着することにより、気密に封止している。多重環バルブ２３の内部には、水銀およびアルゴン（Ａｒ）等の放電媒体を封入している。
【００４５】
口金１１はＰＢＴやＰＥＴ、ＰＣ等の合成樹脂により形成されて、その外面に、矩形状の凹部１１ｂを形成し、この凹部１１ｂの内底部上に、例えば４本の口金ピン１１ａ……を立設している。これらの各口金ピン１１ａは図示しないリード線を介して一対の電極の各両端にそれぞれ電気的に接続されている。
【００４６】
そして、図４に示すように、この環形蛍光ランプ１０を着脱自在に保持する例えば３本の第１、第２、第３のランプホルダー２５ａ，２５ｂ，２５ｃを反射板４の天板部の反射面４ａの内面上に所要の間隙を置いて立設している。これら第１〜第３ランプホルダー２５ａ〜２５ｃは環形蛍光ランプ１０を管径方向で弾性的に挟持する金属製板ばね等からなり、図中上面に、環形蛍光ランプ１０を出入させる出入口ｏを開口させている。
【００４７】
第１のランプホルダー２５ａは環形蛍光ランプ１０の連結部２３Ｃ近傍に配設され、第２、第３のランプホルダー２５ｂ，２５ｃは口金１１とは反対側の直管部ｓ側に配設されている。
【００４８】
したがって、照明器具１によれば、一対の取付穴１５ａ，１５ｂを剛性の高い一対の側板部６ｄ，６ｂ近傍の天板部６に設けたので、器具本体３の側端部方向の変形を抑制することができる。そして、一対の取付穴１５ａ，１５ｂおよび手挿入穴２１が天板部６にて並設されているので、天板部６の強度が弱くなることにより器具本体３の側端部方向の変形が生じてしまう虞があるが、点灯装置９を、その長手方向が一対の取付穴１５ａ，１５ｂおよび手装置穴２１の並設に対して平行となるように一側板部６ｃ側に設けることにより、この点灯装置９により天板部を支持するので、この器具本体３の変形を抑制することができる。このために、器具本体３のアクセサリーの一例であるルーバ５の取付が容易となる。
【００４９】
また、この照明器具１によれば、一般に蛍光ランプ１０の電極付近は高温になり易いので、この電極近傍のランプソケット８近傍においても熱により反りが発生し易いが、ランプソケット８近傍の一側板部６ｃに点灯装置９を配置することにより器具本体３の剛性を高めているので、ランプソケット８近傍での反りを低減することができる。
【００５０】
さらに、照明器具１によれば、取付穴１５ａ，１５ｂの近傍にアクセサリー取付具１３ａ，１３ｂを配設しているので、アクセサリーを取り付ける際に器具本体を変形させようとする力に対して取付穴１５ａ，１５ｂ、吊ボルト１６ａ，１６ｂ等が固着されている箇所が支持点として作用することで、ルーバ５を器具本体３に取り付ける際に器具本体３が歪みを生じることを抑制することができる。また、このために、ルーバ５の器具本体３への取付容易性をさらに向上させることができる。
【００５１】
また、この照明器具１によれば、器具本体３の天板部６内面に、点灯装置９を、ランプソケット８の近傍の側板部６ｃ側にて配設するので、この点灯装置９近傍の側板部６ｃに直交する一対の側板部６ｄ，６ｂ内面に、一対のアクセサリー取付具１３ａ，１３ｂをそれぞれ配設することができる。
【００５２】
このために、一対のアクセサリー取付具１３ａ，１３ｂの下方（天板部６側）には、点灯装置９が無く、空間を確保できるので、これらアクセサリー取付具１３ａ，１３ｂに、アクセサリーであるルーバ５側の取付具のワイヤーＶばね１４ａ，１４ｂを簡単迅速かつ確実に取付けることができる。
【００５３】
また、この逆に、アクセサリー取付具１３ａ，１３ｂの近傍に点灯装置９を配設する必要がないので、この点灯装置９を器具本体３に取り付ける取付作業の容易性と効率とを共に向上させることができる。
【００５４】
さらに、これら一対のアクセサリー取付具１３ａ，１３ｂ同士を結ぶ直線上であって、これらアクセサリー取付具１３ａ，１３ｂをそれぞれ配設する一対の側板部６ｄ，６ｂの近傍、すなわち、器具本体３の天板部６の両端部であって、高剛性の箇所において、吊りボルト１６ａ，１６ｂの取付穴１５ａ，１５ｂを穿設しているので、この吊りボルト１６ａ，１６ｂを取付穴１５ａ，１５ｂ内に挿通した挿通端部に、締付けナットにより強く締め付けた場合でも、器具本体３に反り等の変形が発生するのを防止ないし低減することができる。
【００５５】
このために、器具本体３に、反射板４とアクセサリーのルーバ５を簡単迅速に装着することができる。
【００５６】
また、環形蛍光ランプ１０の発光を反射板４により所定方向に反射させ、ルーバ５により制光するので、器具効率を向上させることができるうえに、所要の配光特性を容易に得ることができる。
【００５７】
さらに、この照明器具１によれば、環形蛍光ランプ１０が多重環形バルブ２３を有する多重環形蛍光ランプ１０であり、発光部が多重環形であるので、明るさを向上させることができる。
【００５８】
また、環形蛍光ランプ１０の連結部２３Ｃおよびその近傍は、その連結方向の強度が高いので、この連結部２３Ｃ近傍を連結方向で弾性的に挟持する第１のランプホルダー２６ａの保持部の強度を向上させることができる。また、この第１のランプホルダー２６ａが熱伝導性の高い金属製であるので、同様に金属製の器具本体３を通して放熱する放熱性を向上させることができる。
【００５９】
さらに、ランプホルダー２６ａにより環形蛍光ランプ１０を反射板４の反射面４ａから所定間隙離間させているので、この環形蛍光ランプ１０と反射面４ａとの間で反射を繰り返す反射光の一部を外部へ放射できるので、明るさの向上を図ることができる。
【００６０】
そして、図１に示すように４つのダボ１９…により、器具本体３の天板部６内面と、反射板４の天板部４ａの外面との間に間隙ｇを形成しており、この間隙ｇが器具本体３の天板部６の複数の放熱孔２２と作業用穴２１を介して外気に連通しているので、この間隙ｇでの自然対流を促進させることができる。これにより、照明器具１全体の放熱性を向上させることができる。
【００６１】
また、調光端子台１８の調光用リード線１８ａを電源端子台１７よりも外側である図２中左側の側板部６ｄ側隅部に沿って配線し、その内側に電源端子台１７の電源用リード線１７ａを配線しているので、これら両リード線１８ａ，１７ａが相互に交差して雑音が発生することを防止ないし低減することができる。
【００６２】
なお、上記実施形態ではランプとして多重環形蛍光ランプ１０を使用する場合について説明したが、本発明はこれに限定されるものではなく、環形バルブが１重の環形蛍光ランプを使用してもよい。また、照明器具１は天井壁２等に直接取り付けられる天井直付形でもよい。
【図面の簡単な説明】
【００６３】
【図１】本発明の一実施形態に係る照明器具の縦断面図。
【図２】図１で示す器具本体の内面平面図。
【図３】図１で示すランプソケットの斜視図。
【図４】図１で示す環形蛍光ランプの平面図。
【符号の説明】
【００６４】
１…照明器具、２…天井壁、３…器具本体、４…反射板、４ａ…反射板の開口端、５…ルーバ、６…器具本体の天板部、６ａ〜６ｄ…器具本体の側板部、８…ランプソケット、９…点灯装置、１０…環形蛍光ランプ、１１…環形蛍光ランプの口金、１３ａ，１３ｂ…アクセサリー取付金具、１４ａ，１４ｂ…ワイヤーＶばね、１５ａ，１５ｂ…取付穴、１６ａ，１６ｂ…吊りボルト、１７…電源端子台、１７ａ…電源用リード線、１８…調光端子台、１８ａ…調光用リード線、１９…ダボ、２５ａ〜２５ｃ…第１〜第３ランプホルダー。
【図１】
2006120427.tif 000003
【図２】
2006120427.tif 000004
【図３】
2006120427.tif 000005
【図４】
2006120427.tif 000006